(57)【特許請求の範囲】
【請求項１】
多導体に沿わせて、標識部材を取付けた線条体を配置してなり、前記標識部材は、多導体を構成する各導体の外周面と接する円内に位置していることを特徴とする多導体送電線路。
【発明の詳細な説明】
【０００１】
【発明の属する技術分野】
本発明は、標識部材を取付けた多導体送電線路に関するものである。
【０００２】
【従来の技術】
多導体送電線路が鳥、特に保護鳥の生息地を通過する場合があり、このような多導体送電線路においては、鳥が衝突するのを防止する必要がある。また多導体送電線路にヘリコプターが衝突するのを防止する必要がある。さらに導電性の釣り竿等が多導体送電線路に接触すると感電事故が生じるのでこれを防止する必要がある。
【０００３】
そこで従来は、図５（ａ）（ｂ）に示すような標識部材３を多導体送電線路に取付けることが行われている。
この標識部材３は、導体を把持するリング部３１と、該リング部３１の下部に吊り下げられた円板状の標識片３２とから構成されている。リング部３１および標識片３２はプラスチック等で形成されている。
【０００４】
この標識部材３は、風によって標識片３２がヒラヒラと動くことによって、鳥や人間に多導体送電線路の存在を知らしめ、これによって鳥やヘリコプターが多導体送電線路に衝突するのを防止すると共に釣り竿等が多導体送電線路に接触するのを防止するものである。
【０００５】
【発明が解決しようとする課題】
しかしながら、従来の標識部材は、導体に吊り下げる構造であり、送電電圧が、例えば２７５ＫＶ以上の超高圧である場合、コロナ放電が発生し易いという問題があった。
【０００６】
すなわち、送電電圧が２７５ＫＶ等と超高圧である場合、１相の導体は複数本の導体で構成されており、かかる多導体の各導体に標識リングを取付けると、特に多導体の下側に取付けた標識リングからコロナ放電が発生し易く、このためにラジオやテレビの電波障害を起こすという問題があった。
またコロナ放電の微小アーク放電により、標識片が損傷し落下してしまうという問題があった。
【０００７】
【課題を解決するための手段】
本発明は上記問題点に鑑みてなされたもので、２７５ＫＶ以上の超高圧の多導体送電線路に使用してもコロナ放電を生じさせることなく、また鳥等の衝突や釣り竿等の接触を防止できる多導体送電線路を提供するものである。
【０００８】
本発明の多導体送電線路は、多導体に沿わせて、標識部材を取付けた線条体を配置してなり、前記標識部材は、多導体を構成する各導体の外周面と接する円内に位置していることを特徴とするものである。
【０００９】
多導体に沿わせて、標識部材を取付けた線条体を配置してなり、前記標識部材を、多導体を構成する各導体の外周面と接する円内に位置させることにより、標識部材を電位傾度の低い部分に設置することができるので、コロナ放電の発生を防止できる。また、標識体によって鳥や人間に送電線の存在を知らしめることができるので、鳥やヘリコプター等の衝突や釣り竿等の接触を防止することができる。
【００１０】
【発明の実施の形態】
以下、本発明を図面を参照して詳細に説明する。
図１および図２は本発明を４導体送電線路に適用した場合であり、１Ａ、１Ｂ、１Ｃ、１Ｄは４導体送電線路を構成する各導体、２は各導体１Ａ、１Ｂ、１Ｃ、１Ｄの略中央部に位置しかつ各導体に沿って配置された線条体、３は線条体２の長手方向に所定間隔毎に取付けた標識部材である。
【００１１】
４導体送電線路を構成する各導体１Ａ、１Ｂ、１Ｃ、１Ｄは、鋼心上にアルミ素線を撚合わせた鋼心アルミ撚線や、インバ線上にアルミ素線を撚合わせた低弛度型の撚線導体が使用される。
【００１２】
また、線条体２としては、アルミや鋼等の金属素線を撚合わせた金属撚線やプラスチック素線を撚合わせたプラスチック撚線の他、アルミや鋼等のロッド、グラスファイバーやカーボンファイバー等のロッドが使用できる。
この線条体２は、４導体送電線路を構成する各導体１Ａ、１Ｂ、１Ｃ、１Ｄの略中央部に位置しておりかつ各導体に沿って配置されている。
【００１３】
標識体３は、線条体２の長手方向に所定間隔をおいて取付けられており、その形状は図５（ａ）（ｂ）に示したものと同じものである。
この標識体３は、図２に示すように、多導体を構成する各導体１Ａ、１Ｂ、１Ｃ、１Ｄの外周面と接する円Ｘの内側に配置されている。
多導体を構成する各導体１Ａ、１Ｂ、１Ｃ、１Ｄの外周面と接する円Ｘの内側は電位傾度が低いために、かかる位置に標識体３を配置しておけば、標識体３からコロナ放電が生じることがない。
【００１４】
上記構成の多導体送電線路を構成するには、まず線条体２に標識体３を取付け、しかる後に線条体２を送電線路を構成する各導体１Ａ、１Ｂ、１Ｃ、１Ｄの略中央部位置にかつ各導体に沿って配置すればよい。
このように、まず線条体２に標識体３を取付け、これを各導体１Ａ、１Ｂ、１Ｃ、１Ｄの略中央部位置にかつ各導体に沿って配置すると、線条体２と標識体３を同時に所定位置に配置できるので、工事が簡単になるという利点がある。
なお、まず線条体２を所定位置に配置ししかる後に該線条体２に標識体３を取付けるようにしてもよいことは勿論である。
【００１５】
図３は本発明に係る多導体送電線路の他の実施の形態を示すもので、前記実施の形態と異なる点は、各導体１Ａ、１Ｂ、１Ｃ、１Ｄの外周および線条体２の外周にスパイラル状に線４を巻き付けたものである。
【００１６】
このように、各導体１Ａ、１Ｂ、１Ｃ、１Ｄの外周および線条体２の外周にスパイラル状に線４を巻き付けると、各導体１Ａ、１Ｂ、１Ｃ、１Ｄおよび線条体２に生じる風騒音を減少させることができるという効果がある。
なお、スパイラル状の線４は、各導体１Ａ、１Ｂ、１Ｃ、１Ｄの外周または線条体２の外周のいづれか一方のみに巻き付けるようにしてもよい。
【００１７】
図４は本発明に係る多導体送電線路の他の実施の形態を示すもので、前記実施の形態と異なる点は、標識体３として、プラスチック筒を使用した点である。
このプラスチック筒は、線条体２に熱溶着や接着等で固定しておくものである。またプラスチック筒の取付け間隔は適宜選定するものである。
【００１８】
なお上記の実施の形態においては、４導体の多導体送電線路に本発明を適用した場合について説明したが、本発明は、２導体、６導体、８導体等の多導体送電線路に適用できるものである。
【００１９】
また、上記の実施の形態においては、線条体２を送電線路を構成する各導体１Ａ、１Ｂ、１Ｃ、１Ｄの略中央部位置にかつ各導体に沿って配置したが、線条体２の位置は、特に限定するものではなく、各導体１Ａ、１Ｂ、１Ｃ、１Ｄの外周面と接する円Ｘの内側または外側であってもよい。好ましくは、線条体２の位置は、各導体１Ａ、１Ｂ、１Ｃ、１Ｄの外周面と接する円Ｘの内側である。かかる位置は電位傾度が低いからである。
【００２０】
さらに、標識体３の形状やその取付け間隔等は特に限定するものではない。例えば標識体３は、テープ状のものを線条体２に巻き付けて形成してもよい。また標識体３には、光線を反射するアルミ箔を張り付けたり、目立つように赤色を塗ったり、蛍光発色塗料を塗ったりしておくことが好ましい。標識体３の形状の例としては、吊り凧のようなモービル的な動きをするもの、ストロボ・フラッシュのような閃光的発光をするもの、周囲の磁場を乱す強力磁石等であってもよい。
【００２１】
【発明の効果】
以上のように、本発明にかかる多導体送電線路は、多導体に沿わせて、標識部材を取付けた線条体を配置してなり、前記標識部材は、多導体を構成する各導体の外周面と接する円内に位置していることを特徴とするものであるために、標識部材を電位傾度の低い部分に設置することができる。したがって標識部材からのコロナの発生を防止できる。また、標識体によって鳥や人間に送電線の存在を知らしめることができるので、鳥やヘリコプター等の衝突や釣り竿等の接触を有効に防止することができる。
【図面の簡単な説明】
【図１】本発明の第１の実施の形態を示す正面図である。
【図２】図１の側面図である。
【図３】本発明の第２の実施の形態を示す正面図である。
【図４】本発明の第３の実施の形態を示す正面図である。
【図５】標識リングを示すのもで、（ａ）は側面図、（ｂ）は正面図である。
【符号の説明】
１Ａ、１Ｂ、１Ｃ、１Ｄ      ４導体送電線路を構成する各導体
２                          線条体
３                          標識部材
４                          スパイラル状の線
【図１】
0003551994.tif 000002
【図２】
0003551994.tif 000003
【図３】
0003551994.tif 000004
【図４】
0003551994.tif 000005
【図５】
0003551994.tif 000006